(57)【特許請求の範囲】
【請求項１】
ユーザ端末(ＵＥ)と通信する際に用いられるＬＴＥ共有ネットワークのＬＴＥネットワーク通信装置であって、  互いに異なる複数のＣＤＭＡ２０００ネットワークに対するそれぞれのモビリティのための各パラメーターセットと、ＣＤＭＡ２０００近接セルリストを前記ＵＥに送信する手段を含み、  前記互いに異なる複数のＣＤＭＡ２０００ネットワークに対する前記パラメーターセットはメッセージと共に与えられ、  前記ＵＥのＰＬＭＮ(Public Land Mobile Network)に基づいて、前記ＰＬＭＮに対応するＣＤＭＡ２０００パラメーターがＵＥによって与えられる、ＬＴＥ共有ネットワークのＬＴＥネットワーク通信装置。
【請求項２】
複数のネットワーク事業者にサービングするように構成される共有ＬＴＥ基地局を備える、請求項１に記載のＬＴＥネットワーク通信装置。
【請求項３】
複数のＬＴＥネットワーク識別情報をブロードキャストするように構成され、該ネットワーク通信装置は、前記ＵＥによって選択されたＬＴＥネットワーク識別情報を特定する手段と、前記選択されたＬＴＥネットワーク識別情報を対応するＣＤＭＡネットワーク識別情報にマッピングする手段とを更に備え、前記選択されたＬＴＥネットワーク識別情報は前記ＰＬＭＮ識別情報である、請求項２に記載のＬＴＥネットワーク通信装置。
【請求項４】
前記マッピングする手段は、Ｏ＆Ｍノード（運営及び管理ノード）によって提供されるマッピングテーブルを用いるように構成される、請求項３に記載のＬＴＥネットワーク通信装置。
【請求項５】
前記ＬＴＥネットワークの別のノードから加入者情報を要求して受信する手段を更に備える、請求項２に記載のＬＴＥネットワーク通信装置。
【請求項６】
前記マッピングテーブルは、対応した、  （ｉ）ＣＤＭＡセル又は基地局識別情報と、  （ｉｉ）ＣＤＭＡ事業者ＰＬＭＮ識別情報と、  （ｉｉｉ）ＬＴＥ事業者ＰＬＭＮ識別情報と、を指定するフィールドを有するデータアレイを備える、請求項４に記載のＬＴＥネットワーク通信装置。
【請求項７】
ユーザ端末(ＵＥ)と通信するＬＴＥ共有ネットワークのＬＴＥネットワーク通信装置によって実行される方法であって、  互いに異なる複数のＣＤＭＡ２０００ネットワークに対するそれぞれのモビリティのための各パラメーターセットと、ＣＤＭＡ２０００近接セルリストを前記ＵＥに送信し、  前記互いに異なる複数のＣＤＭＡ２０００ネットワークに対する前記パラメーターセットはメッセージと共に与えられ、  前記ＵＥのＰＬＭＮ(Public Land Mobile Network)に基づいて、前記ＰＬＭＮに対応するＣＤＭＡ２０００パラメーターがＵＥによって与えられる、ＬＴＥ共有ネットワークのＬＴＥネットワーク通信装置によって実行される方法。
【請求項８】
複数のネットワーク事業者にサービングする共有ＬＴＥ基地局によって実行される、請求項７に記載の方法。
【請求項９】
請求項７に記載の方法であって、更に複数のＬＴＥネットワーク識別情報をブロードキャストすることを含み、該方法は、前記ＵＥによって選択されるＬＴＥネットワーク識別情報を特定することと、前記選択されたＬＴＥネットワーク識別情報を対応するＣＤＭＡネットワーク識別情報にマッピングすることとを更に含み、前記選択されたＬＴＥネットワーク識別情報は前記ＰＬＭＮの識別情報を含む、方法。
【請求項１０】
前記マッピングは、Ｏ＆Ｍノードによって提供されるマッピングテーブルを用いて行われる、請求項９に記載の方法。
【請求項１１】
前記ＬＴＥネットワークの別のノードから加入者情報を要求して受信することを更に含む、請求項９に記載の方法。
【請求項１２】
前記マッピングテーブルは、対応した、  （ｉ）ＣＤＭＡセル又は基地局識別情報と、  （ｉｉ）ＣＤＭＡ事業者ＰＬＭＮ識別情報と、  （ｉｉｉ）ＬＴＥ事業者ＰＬＭＮ識別情報と、を指定するフィールドを有するデータアレイを備える、請求項１０に記載の方法。
【請求項１３】
プログラマブルコンピューターデバイスを、請求項１〜６のいずれか一項に記載のＬＴＥネットワーク通信装置として構成させるコンピューター実施可能命令を含むコンピュータープログラム。
【請求項１４】
プログラマブルコンピューターデバイスに、請求項７〜１２のいずれか一項に記載の方法を実施させるコンピューター実施可能命令を含むコンピュータープログラム。
【発明の詳細な説明】
【技術分野】
【０００１】
本発明は、セルラー通信ネットワーク又は無線通信ネットワークでの無線アクセスネットワークに関し、他を除外しないが、特に、基地局の使用及び場合によってはコアネットワークの部分が２つ以上の事業者間で共有される通信システムに関する。本発明は、限定ではないが特に、ＬＴＥ標準規格に従って実装される無線通信ネットワークに関する。
【背景技術】
【０００２】
無線アクセスネットワーク（ＲＡＮ）共有展開シナリオは既知であり、これらのシナリオの実施を容易にする方法及び機能が３Ｇ標準規格にリリース５から導入されている。
【０００３】
ＲＡＮ共有は、ネットワーク事業者（サービスプロバイダー）が無線通信ネットワークをセットアップするときに設備投資要件を低減し及び／又はセルラー通信サービスによってカバーされるエリアを拡大する方法を提供する。各事業者がネットワークのセルごとに自身の基地局及び関連機器を提供しなくてはならないのではなく、別の事業者のＲＡＮを共有している事業者が、そのロケーションにおいて自身の基地局に投資する必要なく、その別の事業者によってサービングされているエリア内に自身のサービスを提供することができる。
【０００４】
さらに、提供し運用しなくてはならない基地局数を低減することによって、共有事業者の継続中の運用コストを低減することができる。実際に、各基地局は運用中に大量の電気を引き込む場合があり、したがって、運用基地局数を低減することにより電力要件を大幅に低減することができ、したがって環境に優しいとみなすこともできる。
【０００５】
いくつかの共有方式では、ＲＡＮ基地局のみが異なる事業者によって共有される。他の共有方式では、ＲＡＮ基地局のみでなくコアネットワークの一部分、例えばＬＴＥにおける発展型パケットコア（ＥＰＣ）を共有することができ、ネットワークをセットアップする際の設備投資コストを更に減少させる。
【０００６】
ＲＡＮを共有するためのメカニズムは、事業者の会社の合併の場合にも有用とすることができ、２つの事業者がサービス提供にいかなる大きな中断も伴うことなく自身のネットワークサービスを合併することが可能になる。
【０００７】
ＬＴＥ基地局及びそれに関連付けられたコアネットワークは、パケット交換サービスを提供し、音声通話等の回線交換サービスをサポートしない。したがって、携帯電話（又は携帯情報端末等のいわゆる「ユーザー端末」（ＵＥ））のユーザーが、ＬＴＥネットワークで音声通話を実行したい場合、ＬＴＥネットワークと並列して存在し、音声通話をサポートする代替のネットワークに電話機で「フォールバック」させる必要がある。そのような代替のネットワークの例は、ＣＤＭＡ２０００（Ｃ２Ｋ）ネットワーク又はＵＭＴＳネットワーク等の符号分割多元接続（ＣＤＭＡ）ネットワークである。同様のフォールバック手順は、単一無線音声通信継続（ＳＲＶＣＣ：Single Radio Voice Call Continuity）等の他の状況でも実行され、それにより、ＶｏＩＰ呼は、ＬＴＥネットワークからＵＭＴＳ／ＣＤＭＡ２０００ネットワークにハンドオーバーされる。
【発明の概要】
【発明が解決しようとする課題】
【０００８】
フォールバック及びハンドオーバープロセスの一環として、ＬＴＥ基地局（又はいわゆる「ｅＮＢ」）は通常、ユーザー端末に適切なモビリティパラメーターを提供して、ユーザー端末が代替のネットワークにハンドオーバーできるようにする。しかしながら、２つ以上のネットワーク事業者がＬＴＥ基地局を共有する場合、基地局は、ＵＥがどの事業者に加入しているかを知らず、したがって、ＵＥがＬＴＥネットワークからＣ２Ｋネットワークに移動する際、いくつかの情報要素（ＩＥｓ：Information Elements）の適切なコンテンツ（パラメーター）をＵＥに提供することができない。その理由は、それらがＣ２Ｋ事業者ごとに異なることがあるためである。
【０００９】
そのようなパラメーターの一例はCSFBParametersResponseCDMA2000メッセージでのMobilityParametersCDMA IEである（その詳細はＴＳ３６．３３１Ｖ１０．５．０のセクション５．６．４及び５．４．４．３において見出すことができ、その内容は引用することにより本明細書の一部をなす）。ここで、ＣＳＦＢは「回線交換フォールバック」を指す。現在、このＩＥはＬＴＥ ｅＮＢによってローカルに提供される。またそれは、Ｃ２Ｋネットワークに移動するＵＥのためのセル固有パラメーターを含む。しかしながら、上述したように、ＬＴＥ ｅＮＢが２つのＣ２Ｋ事業者によって共有される場合、ｅＮＢにとってはこのＩＥをいかに設定するかが明確でない。
【００１０】
モビリティ目的のためのパラメーターの別の例はRAND-CDMA2000であり、これは、Ｃ２Ｋ基地局とＵＥとの通信に用いられるセキュリティパラメーターを定義する。更なる例は、Measconfig IEにおいてＬＴＥ基地局によって提供され、ＵＥが監視すべき近傍セルを識別する近傍セルリストである。
【００１１】
本発明の実施形態は、上記で説明した先行技術に伴う問題のうちのいくつかに少なくとも部分的に対処することを目的とする。
【課題を解決するための手段】
【００１２】
本発明の第１の態様によれば、移動通信デバイスとの通信に用いられるネットワーク通信装置（例えば、ＬＴＥノード又はノードの組み合わせ）が提供され、該ネットワーク通信装置は、ハンドオーバー手順を実行する際に、モビリティ目的で第１のパラメーターセット及び第２のパラメーターセットを受信する手段であって、各パラメーターセットには、それぞれのネットワーク事業者が関連付けられる、受信する手段と、移動通信デバイスに関連付けられた加入者情報に関連する情報を用いて、第１のパラメーターセット及び第２のパラメーターセットのうちの一方を選択する手段と、選択されたパラメーターセットが対応するネットワークにハンドオーバーする際に用いられる選択されたパラメーターセットを移動通信デバイスに向けて送信する手段とを備える。モビリティ目的のパラメーターは、上記で説明したパラメーター（例えば、モビリティパラメーター、セキュリティパラメーター、及び近傍セルリスト等）のうちの１つ又は複数を含むことができる。
【００１３】
第１の実施形態において、ネットワーク通信装置は、複数のネットワーク事業者にサービングするように構成される共有ＬＴＥ基地局を備えることができる。
【００１４】
第１の実施形態において、ＬＴＥネットワーク通信装置は複数のＬＴＥネットワーク識別情報をブロードキャストするように構成することができ、該ネットワーク通信装置は、移動通信デバイスによって選択されたＬＴＥネットワーク識別情報を特定する手段と、選択されたＬＴＥネットワーク識別情報を対応するＣＤＭＡネットワーク識別情報にマッピングする手段とを更に備え、加入者情報に関連する情報は、選択されたＬＴＥネットワーク識別情報を含む。マッピングする手段は、Ｏ＆Ｍノード（運営及び管理ノード）によって提供されるマッピングテーブルを用いるように構成することができる。
【００１５】
代替的に、ＬＴＥネットワーク通信装置は、ＬＴＥネットワークの別個のノードから加入者情報を要求して受信する手段を更に備えることができる。
【００１６】
第２の実施形態において、ネットワーク通信装置はＬＴＥコアネットワーク内にノードを備える。
【００１７】
第２の実施形態において、ＬＴＥネットワーク通信装置は、移動通信デバイスによって選択されたＬＴＥネットワーク識別情報を特定する手段と、選択されたＬＴＥネットワーク識別情報を対応するＣＤＭＡネットワーク識別情報にマッピングする手段とを更に備えることができ、加入者情報に関連する情報は、選択されたＬＴＥネットワーク識別情報を含む。マッピングする手段は、Ｏ＆Ｍノードによって提供されるマッピングテーブルを用いるように構成することができる。
【００１８】
上述した実施形態の双方について、マッピングテーブルは、対応して、（ｉ）ＣＤＭＡセル又は基地局識別情報と、（ｉｉ）ＣＤＭＡ事業者ＰＬＭＮ識別情報と、（ｉｉｉ）ＬＴＥ事業者ＰＬＭＮ識別情報とを指定するフィールドを有するデータアレイを備えることができる。
【００１９】
本発明の第２の態様によれば、ＬＴＥ通信ネットワーク及びＣＤＭＡネットワークと併用される移動通信デバイスが提供され、該移動通信デバイスは、ＬＴＥからＣＤＭＡへのハンドオーバー手順を実行する際に、ＬＴＥ通信ネットワークから、モビリティ目的で第１のパラメーターセット及び第２のパラメーターセットを受信する手段であって、各パラメーターセットには、それぞれのＣＤＭＡネットワーク及びネットワーク事業者が関連付けられる、受信する手段と、移動通信デバイスに関連付けられた加入者情報に関連する情報を用いて、第１のパラメーターセット及び第２のパラメーターセットのうちの一方を選択する手段と、ＬＴＥネットワークから、選択されたパラメーターセットが対応するＣＤＭＡネットワークにハンドオーバーする際に、選択されたパラメーターセットを用いる手段とを備える。
【００２０】
本発明の第３の態様によれば、移動通信デバイスと通信するＬＴＥネットワーク通信装置によって実行される方法が提供され、該方法は、ＬＴＥからＣＤＭＡへのハンドオーバー手順を実行する際に、モビリティ目的で第１のパラメーターセット及び第２のパラメーターセットを受信することであって、各パラメーターセットには、それぞれのＣＤＭＡネットワーク及びネットワーク事業者が関連付けられることと、移動通信デバイスに関連付けられた加入者情報に関連する情報を用いて、第１のパラメーターセット及び第２のパラメーターセットのうちの一方を選択することと、ＬＴＥネットワークから、選択されたパラメーターセットが対応するＣＤＭＡネットワークにハンドオーバーする際に用いられる選択されたパラメーターセットを移動通信デバイスに向けて送信することとを含む。
【００２１】
第１の実施形態において、この方法は、複数のネットワーク事業者にサービングする共有ＬＴＥ基地局によって実行される。
【００２２】
第１の実施形態において、基地局は複数のＬＴＥネットワーク識別情報をブロードキャストすることができ、この方法は、移動通信デバイスによって選択されるＬＴＥネットワーク識別情報を特定することと、選択されたＬＴＥネットワーク識別情報を対応するＣＤＭＡネットワーク識別情報にマッピングすることとを更に含み、加入者情報に関する情報は、選択されたＬＴＥネットワーク識別情報を含む。マッピングすることは、Ｏ＆Ｍノードによって提供されるマッピングテーブルを用いることができる。
【００２３】
代替的に、この方法は、ＬＴＥネットワークの別のノードから加入者情報を要求して受信することを更に含むことができる。
【００２４】
第２の実施形態において、この方法は、ＬＴＥコアネットワーク内のノードによって実行することができる。
【００２５】
第２の実施形態において、この方法は、移動通信デバイスによって選択されたＬＴＥネットワーク識別情報を特定することと、選択されたＬＴＥネットワーク識別情報を対応するＣＤＭＡネットワーク識別情報にマッピングすることとを更に含み、加入者情報に関連する情報は、選択されたＬＴＥネットワーク識別情報を含む。マッピングすることは、Ｏ＆Ｍノードによって提供されるマッピングテーブルを用いることができる。
【００２６】
上述した実施形態の双方について、マッピングテーブルは、対応して、（ｉ）ＣＤＭＡセル又は基地局識別情報と、（ｉｉ）ＣＤＭＡ事業者ＰＬＭＮ識別情報と、（ｉｉｉ）ＬＴＥ事業者ＰＬＭＮ識別情報とを指定するフィールドを有するデータアレイを備えることができる。
【００２７】
本発明の第４の態様によれば、ＬＴＥ通信ネットワークからＣＤＭＡネットワークに移動通信デバイスをハンドオーバーする方法が提供され、該方法は移動通信デバイスによって実行され、ＬＴＥからＣＤＭＡへのハンドオーバー手順を実行する際に、ＬＴＥ通信ネットワークから、モビリティ目的で第１のパラメーターセット及び第２のパラメーターセットを受信することであって、各パラメーターセットには、それぞれのＣＤＭＡネットワーク及びネットワーク事業者が関連付けられることと、移動通信デバイスに関連付けられた加入者情報に関連する情報を用いて、第１のパラメーターセット及び第２のパラメーターセットのうちの一方を選択することと、ＬＴＥネットワークから、選択されたパラメーターセットが対応するＣＤＭＡネットワークへのハンドオーバー手順を実行するのに、選択されたパラメーターセットを用いることとを含む。
【００２８】
本発明の第５の態様によれば、ＬＴＥネットワークからＣＤＭＡネットワークにハンドオーバーする際に、移動通信デバイスのモビリティパラメーターを特定する際に用いられるマッピングテーブルが提供され、該マッピングテーブルは、対応して、（ｉ）ＣＤＭＡセル又は基地局識別情報と、（ｉｉ）ＣＤＭＡ事業者ＰＬＭＮ識別情報と、（ｉｉｉ）ＬＴＥ事業者ＰＬＭＮ識別情報とを指定するフィールドを有するデータアレイを備える。
【００２９】
本発明の第６の態様によれば、ＬＴＥネットワークに関連付けられたＯ＆Ｍノードが提供され、該Ｏ＆Ｍノードは、対応して、（ｉ）ＣＤＭＡセル又は基地局識別情報と、（ｉｉ）ＣＤＭＡ事業者ＰＬＭＮ識別情報と、（ｉｉｉ）ＬＴＥ事業者ＰＬＭＮ識別情報とを指定するフィールドを有するデータアレイを備える。Ｏ＆Ｍノードは、識別情報を受信する手段と、識別情報をデータアレイにポピュレートする手段と、ＬＴＥネットワークからＣＤＭＡネットワークに移動通信デバイスをハンドオーバーするのに用いられるハンドオーバー手順の一環として、データアレイを用いる手段とを更に備える。
【００３０】
最後に、本発明の第７の態様によれば、プログラマブルコンピューターデバイスに、上述したＬＴＥネットワーク通信装置又はノードとして構成させるか、上述した移動通信デバイスとして構成させるか、上述した方法を実施させるか、又は上述したマッピングテーブルを提供させるコンピューター実施可能命令を含むコンピューター実施可能命令製品が提供される。
【００３１】
ここで、本発明の例示的な実施形態を、例として、添付の図面を参照しながら説明する。
【図面の簡単な説明】
【００３２】
【図１】本発明を適用することができるタイプのモバイル通信システムを概略的に示す図である。
【図２】ＬＴＥ基地局が、移動電話に送信されるモビリティパラメーターを選択するように構成される、図１と同様の移動通信システムを概略的に示す図である。
【図３】図１及び図２の通信ネットワークでの使用に適するＬＴＥ共有基地局のブロック図である。
【図４】ユーザー端末がモビリティパラメーターの選択を実行する、図１と同様の移動通信システムを概略的に示す図である。
【図５】上記の図、特に図４の通信ネットワークでの使用に適するユーザー端末のブロック図である。
【図６】モビリティパラメーターの選択がＯ＆Ｍ（運営及び管理）デバイスによって指定される、図１と同様の移動通信システムを概略的に示す図である。
【図７】上記の図、特に図６の通信ネットワークでの使用に適するＯ＆Ｍデバイスのブロック図である。
【発明を実施するための形態】
【００３３】
図中、同様の要素は全体を通して同様の参照符号によって示される。
【００３４】
概観
図１は、２つのネットワーク事業者、すなわち事業者Ａ及びＢが移動無線データ通信サービスを提供することができるモバイル（移動体）通信システム１を概略的に示している。示されるシステム例では、事業者Ａ及びＢはＬＴＥコアネットワーク２を共有し、ＬＴＥコアネットワーク２には、基地局３等の１つ又は複数の共有ＬＴＥ基地局（又はｅＮＢ）が接続される。ＬＴＥコアネットワーク２及び基地局３は、１つ又は複数の移動電話又はユーザー端末８をネットワークに接続して、データ通信サービスを受けることを可能にする。当業者に理解されるように、各基地局３は１つ又は複数の基地局セルを構築し、その中で基地局４と移動電話８とのデータ通信を可能にする。
【００３５】
共有されるＬＴＥコアネットワーク２及び共有されるＬＴＥ基地局（ｅＮＢ）３に関して、事業者Ａ及びＢは、各自のネットワーク事業者によって提供される機器を通して接続しているかのように、事業者Ａに関連付けられた移動電話及び事業者Ｂに関連付けられた移動電話の両方ともが、共有する基地局３を介してネットワーク２に接続可能なようにＬＴＥコアネットワーク２及び基地局３のキャパシティを共有することに同意している。このような構成は、低人口密度のエリア又はより一般的には低帯域幅要件を有するエリアにおいて、そのような構成により、両ネットワーク事業者が、各自の基地局をそのエリアに設置することなく、そのエリアにサービスを提供することを可能にするために有用である。
【００３６】
各々の事業者のネットワークは、通常、一意のＰＬＭＮ（Public Land Mobile Network：パブリックランド移動ネットワーク）ＩＤ値が関連付けられ、この値は、無線通信ネットワークにおいて、特定のネットワーク事業者に関連付けられた接続を識別するのに用いられる。通常、ネットワーク事業者は、共有する基地局で利用可能なリソースの特定の割合が提供されるように契約する。セキュリティを理由として、特定のネットワーク事業者に関連する接続は、各接続に関連付けられたＰＬＭＮ ＩＤ値に基づいて、他のネットワーク事業者に関連する接続から分離してもよい。
【００３７】
ＬＴＥネットワークは、パケット交換データ通信のみを可能にし、回線交換音声通話をサポートしないため、移動電話８（又は別のユーザー端末）のユーザーがＬＴＥネットワークで音声通話を行いたい場合、電話は、ＬＴＥネットワークと一緒に存在し、音声通話をサポートする、ＣＤＭＡネットワーク等の代替のネットワークに「フォールバック」する。図１に示されるシステム例では、２つのＣＤＭＡコアネットワーク４、５は、ＬＴＥコアネットワーク２と一緒に存在し、ＣＤＭＡコアネットワーク４は事業者Ａによって提供され、ＣＤＭＡコアネットワーク５は事業者Ｂによって提供される。図１は、事業者Ａによって提供されるＣＤＭＡ基地局６と、事業者Ｂによって提供されるＣＤＭＡ基地局７も示す。
【００３８】
このフォールバック手順を示すために、図１をまず参照して、移動電話８が事業者Ａに関連付けられるものとして扱う。図示されるように、ＬＴＥコアネットワーク２を介するデータ通信のために、移動電話８は、無線リンク１１を介してＬＴＥ基地局３と通信する。しかしながら、ユーザーが音声通話を行いたい場合、移動電話８は、事業者Ａの基地局６を介して事業者ＡのＣＤＭＡコアネットワーク４と通信するように（実際には無線リンクをリンク１１からリンク１２に切り替えるように）フォールバックする。（逆に、移動電話に、事業者Ａではなく事業者Ｂが関連付けられていた場合、フォールバックプロセスは、事業者ＢのＣＤＭＡ基地局７、ひいては事業者ＢのＣＤＭＡコアネットワーク６とのリンクを確立することが理解されよう）。
【００３９】
フォールバックプロセスをリンク１１からリンク１２に行えるように、ＬＴＥ基地局３は、移動電話８に、モビリティ目的で適切なパラメーターを提供して、リンク１１からリンク１２に切り替えられるようにし、それにより、ユーザーが、ＣＤＭＡ基地局６及びＣＤＭＡコアネットワーク４を介して音声通信を行えるようにする。続く図では、事業者ＡのそのようなモビリティパラメーターはＭＰ_Ａで示され、事業者ＢのそのようなモビリティパラメーターはＭＰ_Ｂで示される。実際には、ＭＰ_Ａ及びＭＰ_Ｂはそれぞれ、単一のパラメーター又はパラメーターセットとすることができる。本例では、電話８は、事業者Ａに関連付けられるものとして扱うため、電話８に送信する必要があるモビリティパラメーターは、ＭＰ_Ａで示されるパラメーターである。
【００４０】
後述する実施形態は、以下のように、移動電話８（又は他のＵＥ）に、モビリティ目的で必要とされるパラメーターを提供することができる３つの幅広い手法を提供する：
（ａ）図２に示されるように、パラメーターは、事業者Ａ及び事業者Ｂの両方によってＬＴＥ ｅＮＢ３に提供され、ｅＮＢ３は、どの事業者のモビリティパラメーターを移動電話８に送信するかを選択し、
（ｂ）図４に示されるように、パラメーターは、事業者Ａ及び事業者Ｂの両方によってＬＴＥ ｅＮＢ３に提供され、ｅＮＢ３は、両事業者のモビリティパラメーターを移動電話８に送信し、次に、移動電話８がどれを用いるかを選択し、又は
（ｃ）図６に示されるように、パラメーターは、Ｏ＆Ｍ（運営及び管理）ノード１０によって選択され、ＬＴＥコアネットワーク２及びＬＴＥ基地局３を介して移動電話８に送信される。
【００４１】
これらの３つの手法についてこれよりさらに詳細に論じる。
【００４２】
［手法（ａ）・・・ＬＴＥ ｅＮＢが、どの事業者のモビリティパラメーターを移動電話に送信するかを選択する］
図２は、ＬＴＥ ｅＮＢ基地局３が、どのＣＤＭＡ事業者（Ａ及びＢ）が利用可能であるかを認識するとともに、移動電話８が加入している事業者を認識している通信システム１を示す。このシステムでは、ＬＴＥ ｅＮＢ３は、２つのモビリティパラメーターセットＭＰ_Ａ及びＭＰ_Ｂを事業者Ａ及びＢからそれぞれ、ＬＴＥコアネットワーク２を介して受信する。湾曲した矢印を用いて示されるように、パラメーターＭＰ_Ａは、事業者ＡのＣＤＭＡ基地局６から事業者ＡのＣＤＭＡコアネットワーク４を介してＬＴＥコアネットワーク２に提供される。パラメーターＭＰ_Ｂは、事業者ＢのＣＤＭＡ基地局７から事業者ＢのＣＤＭＡコアネットワーク５を介してＬＴＥコアネットワーク２に提供される。当業者は理解するように、パラメーターＭＰ_Ａ及びＭＰ_Ｂは、ＣＤＭＡコアネットワーク４及び５と、ＬＴＥコアネットワーク２との間の他の中間ノードを介してルーティングしてもよく、又はそのような他の中間ノードによって処理してもよい。
【００４３】
モビリティパラメーターＭＰ_Ａ及びＭＰ_Ｂを受信すると、ＬＴＥ ｅＮＢ３は、移動電話８に送信する１つのパラメーターセットを選択する。選択を行う際、ｅＮＢ３は、移動電話８についての加入者情報を考慮に入れる。その入手は、この実施形態においては、ＬＴＥコアネットワーク２から得る。この例では、送信されるパラメーターは、移動電話の事業者である事業者Ａに対応するＭＰ_Ａである。
【００４４】
モビリティパラメーターＭＰ_ＡをＬＴＥ ｅＮＢ３から受信すると、移動電話８は、リンク１２を介して事業者ＡのＣＤＭＡ基地局６との接続を確立することが可能になる。この実施形態では、移動電話８は、ＬＴＥ基地局３を共有しているＣ２Ｋ事業者を認識する必要がない。
【００４５】
共有基地局（ｅＮＢ）
図３は、図２に示される共有ＬＴＥ基地局３の主要構成要素を示すブロック図である。図示されるように、共有基地局３は送受信回路３１を含む。この送受信回路３１は、１つ又は複数のアンテナ３３を介して移動電話８との間で信号を送受信するように動作可能であり、また、コアネットワークインターフェース３５−１を介してＬＴＥコアネットワーク２との間で信号を送受信すると共に、Ｏ＆Ｍインターフェース３５−２を介してＯ＆Ｍノード１０との間で信号を送受信するように動作可能である。コントローラー３７は、メモリ３９に記憶されたソフトウェアに従って送受信回路３１の動作を制御する。ソフトウェアは、他のものと共に、オペレーティングシステム４１と、ＣＤＭＡパラメーターモジュール４２と、ＵＥ加入モジュール４３と、選択モジュール４４と、パラメーター通信モジュール４５とを含む。
【００４６】
ＣＤＭＡパラメーターモジュール４２は、上記モビリティパラメーターを利用可能な事業者から受信するように動作させる。本例では、ＣＤＭＡパラメーターモジュール４２は、パラメーターＭＰ_Ａ及びＭＰ_Ｂを事業者Ａ及びＢからそれぞれ受信する。ＵＥ加入モジュール４３は、移動電話８の加入詳細を保持する（又は引き出す）。本例では、加入モジュール４３は、電話８が事業者Ａに関連付けられていることを示すデータを保持する。選択モジュール４４は、加入者データに基づいて、移動電話８に送信すべきモビリティパラメーターを選択するように動作させる。本例では、加入モジュール４３によって保持された、移動電話８が事業者Ａに関連付けられていることを示すデータに基づいて、選択モジュール４４は、モビリティパラメーターＭＰ_Ａを選択する。
【００４７】
最後に、パラメーター通信モジュール４５は、コントローラー３７、送受信回路３１、及びアンテナ（Ｓ）３７によって、選択されたモビリティパラメーターを移動電話８に送信するように動作させる。本例では、パラメーター通信モジュール４５はモビリティパラメーターＭＰ_Ａを送信し、その後、移動電話８はこのモビリティパラメーターを用いて、事業者ＡのＣＤＭＡ基地局６とのリンク１２を確立する。
【００４８】
［手法（ｂ）・・・ＬＴＥ ｅＮＢが両事業者のモビリティパラメーターを移動電話に送信し、次に、移動電話がどれを用いるかを選択する］
図４は、移動電話８がどの事業者に関連付けられているかをＬＴＥ ｅＮＢ基地局３が知らない通信システム１を示す。この例では、ＬＴＥ基地局３は、基地局３を共有するＣ２Ｋ事業者を認識しており、両事業者のパラメーターを、選択のために電話８に送信する。前の手法と同様に、このシステムでは、ＬＴＥ ｅＮＢ３は２つのモビリティパラメーターセットＭＰ_Ａ及びＭＰ_Ｂを事業者Ａ及びＢのそれぞれから、ＬＴＥコアネットワーク２を介して受信する。湾曲した矢印を用いて示されるように、パラメーターＭＰ_Ａは、事業者ＡのＣＤＭＡ基地局６から事業者ＡのＣＤＭＡコアネットワーク４を介してＬＴＥコアネットアーク２に提供される。パラメーターＭＰ_Ｂは、事業者ＢのＣＤＭＡ基地局７から事業者ＢのＣＤＭＡコアネットワーク５を介してＬＴＥコアネットワーク２に提供される。当業者は理解するように、パラメーターＭＰ_Ａ及びＭＰ_Ｂは、ＣＤＭＡコアネットワーク４及び５とＬＴＥコアネットワーク２との間の他の中間ノードを介してルーティングすることもでき、又はそのような中間ノードによって処理することもできる。
【００４９】
モビリティパラメーターＭＰ_Ａ及びＭＰ_Ｂを受信すると、ＬＴＥ ｅＮＢ３は、移動電話８に両パラメーターセットを送信する。パラメーター群は、一緒に又は個別に送信することができる。
【００５０】
例えば、ＬＴＥ基地局３は、両モビリティパラメーターセットを含むモディファイしたＲＲＣ（Radio Resource Control：無線リソース制御）メッセージでパラメーターを送信することができる。これは、ＣＳＦＢモビリティパラメーターについて以下に示される：
【数１】
0006485413.tif 000002
【００５１】
ＲＲＣメッセージをモディファイする代わりに、ＬＴＥ基地局３は、Ｃ．Ｓ００９７に記載される手順を用いて両パラメーターセットを送信してもよい。特に、Ｃ．Ｓ００９７は、第３章において、ＬＴＥ基地局３が移動電話８に送信するパラメーターを記述している。現在、この３ＧＰＰ標準規格ドキュメントでは、ＬＴＥ基地局３から移動電話８に送信すべき１つのモビリティパラメーターセットのみを定義している。これらのパラメーターは、例えば、Ａ２１ １ｘｐａｒａｍｅｔｅｒｓメッセージで送信することができる。したがって、ＲＲＣメッセージをモディファイすることの代替として、Ａ２１ １ｘｐａｒａｍｅｔｅｒｓメッセージは、共有事業者の両モビリティパラメーターセットを搬送するように構成してもよい。
【００５２】
ＬＴＥ基地局３が共有Ｃ２Ｋ事業者を認識する代わりに、更なる代替では、ＬＴＥ基地局３は、共有Ｃ２Ｋ事業者の存在を認識していなくてもよい。この場合、ＣＤＭＡ基地局６、７は、それらのモビリティパラメーターをトランスペアレントコンテナで電話８に送信することができる。これは、ＬＴＥ基地局３が単に、受信情報を、その内容を知らずに電話８に転送することを意味する。これは、ＣＤＭＡ基地局６、７からＣＤＭＡネットワーク４、５、ＬＴＥネットワーク２、及びＬＴＥ基地局３を介して移動電話８に送信される既存のメッセージを拡張することによって達成することができる。拡張可能なメッセージの一例は、Ａ２１ １ｘｐａｒａｍｅｔｅｒｓメッセージ（この詳細は、Ａ．Ｓ０００９−Ｃ ｖ４．０第５．１．８．３章に見出すことができ、この内容は引用することによりその全体が本明細書の一部をなす）であり、これは、ＣＤＭＡ基地局によって生成され、コアネットワークを介して移動電話８に向けて送信される。
【００５３】
両モビリティパラメーターセットＭＰ_Ａ及びＭＰ_Ｂを受信すると、移動電話８は、何れのパラメーターセットが接続事業者に適切かを選択する。選択する際、電話８は、移動電話８に保持している加入データを考慮する。本例では、電話８に事業者Ａが関連付けられているため、パラメーターＭＰ_Ａが選択される。これらのパラメーター（ＭＰ_Ａ）を用いて、移動電話８は、リンク１２を介して事業者ＡのＣＤＭＡ基地局６との接続を確立する。
【００５４】
［移動電話］
図５は、図４に示される移動電話８の主要構成要素を示すブロック図である。移動電話８は、送受信回路５１を有する。この送受信回路５１は、少なくとも１つのアンテナ５３を介して基地局（例えば、３及び６）との間で信号を送受信するように動作可能である。送受信回路５１の動作は、メモリ５９に記憶されているソフトウェアに従ってコントローラー５７によって制御される。電話８は、明瞭のために記載していないが、ユーザーが電話８とやり取り可能にするユーザーインターフェースも有する。
【００５５】
ソフトウェアは、他のものと共に、オペレーティングシステム６１と、ＵＥ加入者情報６２と、ＣＤＭＡパラメーターモジュール６３と、選択モジュール６４とを含む。ＵＥ加入者情報６２には、移動電話８が関連付けられている事業者を指定するデータを含む。本例では、これは事業者Ａである。ＣＤＭＡパラメーターモジュール６３は、ｅＮＢ基地局３から送信されたモビリティパラメーター群を受信するように動作させる。本例では、これらのパラメーターは、事業者Ａ及びＢからそれぞれ送信されるＭＰ_Ａ及びＭＰ_Ｂである。選択モジュール６４は、加入者情報６２に従って適正なモビリティパラメーターを選択するように動作させる。本例では、加入者情報６２は、事業者Ａを指定する。したがって、選択モジュールは、パラメーターモジュール６３からの、事業者ＡのＣＤＭＡ基地局６とのリンク１２を確立するためのモビリティパラメーターＭＰ_Ａを選択する。
【００５６】
［手法（ｃ）・・・運営及び管理（Ｏ＆Ｍ）選択］
この手法では、適切なモビリティパラメーターはＯ＆Ｍ（運営及び管理）ノード１０によって選択される。この例では、Ｏ＆Ｍノード１０は、移動電話８がＲＲＣ接続セットアップ完了メッセージを送信する際に、移動電話８がどのＬＴＥ事業者ＰＬＭＮを選択するかについて通知される。Ｏ＆Ｍノード１０は、そのＬＴＥ ＰＬＭＮ情報を用いて、電話８が加入している、対応するＣ２Ｋネットワークを識別し、電話８への送信に適切なモビリティパラメーターＭＰ_ＡをＬＴＥ基地局３に返送する。Ｏ＆Ｍノード１０は、Ｏ＆Ｍノード１０が保持する、Ｃ２Ｋ事業者ＰＬＭＮ ＩＤをＬＴＥ ＰＬＭＮ ＩＤ及びＣ２Ｋセル／基地局ＩＤに対応付けたテーブルから対応するＣ２Ｋネットワークを識別する。このテーブルは、最初に手動でセットアップし、次に、例えば、自己最適化ネットワーク−自動隣接関係（ＳＯＮ−ＡＮＲ：Self Organising Networks-Automatic Neighbour Relations）技法又はＳ１−トンネルインターフェースを介してＣ２Ｋ基地局から受信される情報を用いて自律的に維持することができる。
【００５７】
Ｏ＆Ｍノード１０に記憶することができるマッピングテーブルの例は、以下のテーブル１に与えられる。このテーブルは、Ｃ２Ｋ事業者Ａ及びＢがＬＴＥコアネットワーク２及びＬＴＥ基地局３を共有する上記シナリオを考える。
【００５８】
【表１】
0006485413.tif 000003
【００５９】
このテーブルでは、ＬＴＥ ＰＬＭＮ ＩＤは、共有されるＬＴＥコアネットワーク２の識別情報であり、Ｃ２Ｋ ＰＬＭＮ ＩＤは、Ｃ２Ｋ ＰＬＭＮの識別情報であり、Ｃ２ＫセルＩＤ／基地局ＩＤは、対応するＣ２Ｋセル又は対応するＣ２Ｋ ＰＬＭＮによって運営される基地局の識別情報である。したがって、該テーブルでは、ＬＴＥコアネットワーク２はＬＴＥ ＰＬＭＮ ＩＤ「Ｋ」を有する。ＬＴＥコアネットワーク２は２つのＣ２Ｋ事業者によって共有されるため、２つの事業者のそれぞれに１つずつ、２つのエントリをテーブル中に有する。この例では、事業者Ａのセル／基地局ＩＤは「１１」であり、事業者Ｂのセル／基地局ＩＤは「１３」である。他のエントリは、他のＬＴＥ ＰＬＭＮのためにテーブル中に準備される。これは、ＩＤ「Ｌ」を有するＬＴＥ ＰＬＭＮについて表されたエントリによって示される。
【００６０】
共有ＬＴＥ基地局３は、ＬＴＥ基地局３を共有する全ての事業者のＬＴＥ ＰＬＭＮ ＩＤをブロードキャストする。もし事業者達がコアネットワーク２を共有せずに基地局３のみを共有する場合、ＬＴＥ基地局３は異なるＬＴＥ ＰＬＭＮ ＩＤをブロードキャストする。移動電話８は、記憶保持している加入者情報に基づいてブロードキャストされたＬＴＥ ＰＬＭＮ ＩＤを選択し、それをＲＲＣ接続セットアップ完了メッセージ内に含め、これをＬＴＥ基地局３に送信する。このケースでは、共有する事業者達のＬＴＥ ＰＬＭＮ ＩＤは異なるため、Ｏ＆Ｍノード１０は、移動電話３によって選択されたＬＴＥ ＰＬＭＮ ＩＤ（ＲＲＣ完了メッセージに含まれる）を単に用いて、対応するＣ２Ｋ ＰＬＭＮ ＩＤを特定できる。
【００６１】
けれども、事業者達がＬＴＥコアネットワーク２を共有する実施形態では、移動電話がＬＴＥ ＰＬＭＮを選択することでは、所望のＣ２Ｋ ＰＬＭＮ ＩＤを識別することに十分ではない。例えば、テーブル１から理解できるように、移動電話がＬＴＥ ＰＬＭＮを「Ｋ」として識別するＬＴＥ ＰＬＭＮ ＩＤ（ＲＲＣ接続セットアップ完了メッセージに含まれる）を選択した場合、これはＣ２Ｋ ＰＬＭＮ ＩＤ「Ａ」又はＣ２Ｋ ＰＬＭＮ ＩＤ「Ｂ」に対応し得るため、明確でない。これらの２つを区別するために、移動電話８はまた、Ｃ２Ｋセル又は基地局ＩＤを報告すべきである。移動電話８は既に、送信するＲＲＣ測定リポートでこの情報をＬＴＥ基地局３に報告している。上記例では、移動電話８は事業者Ａに加入している。したがって、移動電話８が送信するＲＲＣ測定リポートでは、Ｃ２Ｋセル又は基地局ＩＤ「１１」が含まれ、Ｃ２Ｋセル又は基地局ＩＤ「１３」は（その事業者の加入者ではないので）含まれない。ＬＴＥ基地局３は、（近傍セルリスト（ＮＣＬ：Neighbour Cell List）において）移動電話８が報告すべき近傍Ｃ２Ｋセルのリストを移動電話８に提供する。このリストは、移動電話８がアクセス許可されていないセルを除外するようにＬＴＥ基地局３によってフィルタリングされていることがある。しかしながら、これがフィルタリングされていないリストである場合、移動電話８は、記憶保持している加入者情報を用いてリストをフィルタリングし、それにより、アクセス許可されているセルのみについて報告する。Ｏ＆Ｍノード１０は次に、報告されたＣ２ＫセルＩＤ情報及び選択されたＬＴＥ ＰＬＭＮ ＩＤを用いて、テーブル１から、対応するＣ２Ｋ事業者が「Ａ」であることを特定し、それに従ってモビリティパラメーター（ＭＰ_Ａ）を選択する。
【００６２】
通常、Ｏ＆Ｍノード１１は予め、異なるＣ２Ｋ事業者セル／基地局のモビリティパラメーター（例えば、ＭＰ_Ａ及びＭＰ_Ｂ）を記憶する。代替的には、Ｏ＆Ｍノード１０は、共有ＬＴＥ基地局３を介して移動電話８に転送する前に、識別されたＣ２Ｋセル又は基地局からモビリティパラメーターを要求することができる。
【００６３】
Ｏ＆Ｍノード１０は、当初は事業者の手動設定によって構築することができ、次に、例えば、ＳＯＮ−ＡＮＲエンハンスメント又はＳ１シグナリングエンハンスメントを用いて、以下のように自律的に更新することができる（しかし、ＳＯＮ−ＡＮＲを初期設定に用いること（すなわち、いかなる手動構成も必要ないこと）もできる）。
【００６４】
［ＳＯＮ−ＡＮＲエンハンスメント］
マッピングテーブルの更新は、例えば、１か月に１回、ＳＯＮ−ＡＮＲを介して行うことができる。これには、ＬＴＥ基地局３に接続された各移動電話８がその範囲内でブロードキャスト中の任意のセル／基地局を検出することを含む。次に、移動電話は、見つけた任意のセル／基地局についての情報をＬＴＥ基地局３に報告する。現在、報告される情報は、検出された各セル／基地局のＢＡＳＥＩＤ、ｓｉｄ及びｎｉｄを含む。これは、本提案には十分ではないことがある。特に、これらの報告された値から、Ｃ２Ｋセル又は基地局を一意に識別することが可能であり得るが、そうすることは複雑であり、ＬＴＥ基地局３（又はＯ＆Ｍノード１０）が、対応するＣ２Ｋ ＰＬＭＮ ＩＤへのｓｉｄ／ｎｉｄ値のあらゆる組み合わせについてのマッピングを維持する必要がある。したがって、これらの値を報告することに加えて、移動電話８が、既存のパラメーターに加えて、Ｃ２Ｋ ＰＬＭＮを識別する新しいパラメーター、例えば、Ｃ２Ｋ ＰＬＭＮ ＩＤも報告することが提案される。現在、Ｃ２Ｋ基地局６、７は、このＩＤ情報をブロードキャストせず、そうするように構成されることが提案される。Ｃ２Ｋ基地局６、７は、例えば、任意の既存のＩＥ、例えば、ＭＮＣ（移動ネットワークコード）を用いてこの情報をブロードキャストすることができる。
【００６５】
［Ｓ１−トンネル］
ＳＯＮ−ＡＮＲ技法を用いて、マッピングテーブルを構築するか、又はアップデートする代わりに、新しい手法を確立してもよい。この手法は、ＬＴＥ基地局３がＬＴＥネットワーク２、Ｃ２Ｋネットワーク４、５、及びＣ２Ｋ基地局６、７を通して、Ｓ１インターフェース（ＬＴＥ基地局３とＬＴＥコアネットワーク２との間）を介するトンネルを用いて、ＰＬＭＮセルＩＤを近傍Ｃ２Ｋ基地局６、７と交換できるようにする仕組みを導入すればよい。この場合、ＬＴＥ基地局３は共有Ｃ２Ｋ事業者を認識することになる。
【００６６】
［Ｏ＆Ｍノード］
図７は、この実施形態で用いられるＯ＆Ｍノード１０のブロック図を示す。図示されるように、Ｏ＆Ｍノード１０は送受信回路１０１を含む。この送受信回路１０１は、ＬＴＥ ｅＮＢインターフェース１０５を介してＬＴＥ基地局３との間で信号を送受信するように動作可能である。送受信回路１０１の動作は、メモリ１０９に記憶されたソフトウェアに従ってコントローラー１０７によって制御される。メモリに記憶されるソフトウェア及びデータは、他のものと共に、オペレーティングシステム１１１と、通信モジュール１１２と、上記マッピングテーブル１１３と、ＣＤＭＡモビリティパラメーター１１５（ＣＤＭＡネットワーク事業者によって供給される）と、選択モジュール１１７とを含む。
【００６７】
動作に当たり、通信モジュール１１２は、ＬＴＥ基地局３を介して電話８からＲＲＣ接続セットアップ完了メッセージ及びＲＲＣ測定リポートを受信する。通信モジュール１１２は、Ｃ２Ｋ事業者ＰＬＭＮ ＩＤ及びＣ２Ｋセル／基地局ＩＤを、受信したＲＲＣメッセージから抽出し、それを用いて、マッピングテーブル１１３を参照する。次に、選択モジュール１１７は、マッピングテーブルから得られたＣ２Ｋ ＰＬＭＮ ＩＤに基づいて、対応するモビリティパラメーターＭＰ_Ａ又はＭＰ_Ｂを記憶保持されているＣＤＭＡパラメーター１１５から選択する。次に、通信モジュール１１２は、ＬＴＥ基地局３を介して、選択されたモビリティパラメーター（この例ではＭＰ_Ａ）を移動電話８に送信する。
【００６８】
［変更形態及び代替形態］
上記で、いくつかの詳細な実施形態が説明されてきた。当業者であれば理解するように、上記の実施形態において具現される発明から依然として利益を享受しながら、上記の実施形態に対して複数の変更形態及び代替形態を実施できる。例示としてのみ、ここで、これらの変更形態及び代替形態のうちのいくつかを説明する。
【００６９】
上記で説明した実施形態は、ＬＴＥ基地局及びコアネットワークを共有する２つのネットワーク事業者に限定されているが、３つ、４つ、又は更に多くのネットワーク事業者がネットワークの一部を共有することができること、及び説明された実施形態は、３つ以上の事業者によって共有されるネットワークに等しく適用可能であることが理解されよう。
【００７０】
上記で略述した第１の手法では、ＬＴＥ基地局は、ユーザー加入者情報に基づいてモビリティパラメーターを選択した。代替の実施形態では、ＬＴＥ基地局は、Ｏ＆Ｍノードによって用いられた上記のマッピングテーブルを保持することができる。この場合、基地局は、受信したＲＲＣ接続セットアップ完了メッセージ及びＲＲＣ測定リポートから情報を抽出し、この情報を用いて、テーブルからの対応するＣ２Ｋ ＰＬＭＮ ＩＤを参照する。更なる実施形態では、マッピングテーブルは、Ｏ＆Ｍノードに記憶保持し、ＬＴＥ基地局によって照会して、所望のＣ２Ｋ ＰＬＭＮ ＩＤを引き出すようにしてもよい。これは、上記で略述した第３の手法と同様であるが、移動電話に送信されるモビリティパラメーターの最終的な選択は、Ｏ＆ＭノードではなくＬＴＥ基地局によって行われる点が異なる。
【００７１】
上記実施形態の１つでは、Ｏ＆Ｍノードが移動電話のモビリティパラメーターの選択を実行した。ＬＴＥコアネットワーク２内の他のデバイスも、関連する移動電話８のユーザー加入者情報に基づいて選択を実行することができる。例えば、モビリティ管理エンティティ（ＭＭＥ）ノードが代わりに、選択を実行することができる。
【００７２】
上記の実施形態では、移動電話に基づくモバイル通信システムが説明された。当業者であれば認識するように、本出願において説明される方法は任意の通信システムにおいて用いることができる。一般的な例では、基地局及び移動電話は、互いに通信する通信ノード又はデバイスとみなすことができる。他の通信ノード又はデバイスは、アクセスポイント、及び、例えば携帯情報端末、ラップトップコンピューター、ウェブブラウザー等のユーザーデバイスを含むことができる。
【００７３】
上記の実施形態では、複数のソフトウェアモジュールが説明された。当業者であれば理解するように、それらのソフトウェアモジュールは、コンパイル済みの形式又は未コンパイルの形式において与えることもでき、コンピューターネットワークを介して信号として、又は記録媒体において基地局又はＭＭＥに供給することもできる。さらに、このソフトウェアの一部又は全部によって実行される機能は、１つ又は複数の専用のハードウェア回路を用いて実行することもできる。しかしながら、ソフトウェアモジュールを使用することによって、その機能を更新するために基地局及びＭＭＥを更新することが容易になるので、ソフトウェアモジュールを使用することが好ましい。同様に、上記の実施形態は送受信機回路部を利用したが、送受信機回路部の機能のうちの少なくともいくつかはソフトウェアによって実行することができる。
【００７４】
種々の他の変更は当業者には明らかであり、ここでは、これ以上詳しくは説明しない。
【００７５】
本出願は、２０１２年３月１６日に出願された英国特許出願第１２０４７００．７号を基礎としており、この英国特許出願の優先権の利益を主張する。この英国特許出願の開示は、引用することによりその全体が本明細書の一部をなす。
【図１】
0006485413.tif 000004
【図２】
0006485413.tif 000005
【図３】
0006485413.tif 000006
【図４】
0006485413.tif 000007
【図５】
0006485413.tif 000008
【図６】
0006485413.tif 000009
【図７】
0006485413.tif 000010